(57)【特許請求の範囲】
【請求項１】
周壁に設けた円形状の挿通孔に、断面円形状であるとともに波形状の外周面を有する電線管を挿通支持させることによって当該電線管が接続される配線用ボックスであって、
前記挿通孔の周縁部の相対向する位置に、該挿通孔の内方に向けて突出する突出部及び係止突部が設けられ、
前記突出部は、該突出部の先端と該突出部に対向する位置の挿通孔の周縁部との間隔が前記挿通孔より小径の電線管の外径と略同一となるように突設されるとともに、該挿通孔の周縁部から除去可能に該周縁部と一体に形成されてなり、
前記突出部が除去されていない状態においては、前記突出部及び前記係止突部が前記挿通孔に挿通された該挿通孔より小径の電線管の中心軸線を挟む相対向する位置のみで電線管の外周面の凹部に係合することによって当該電線管を前記挿通孔に接続可能とする一方、
前記突出部が除去された状態においては、前記係止突部が前記挿通孔に挿通された該挿通孔と略同径の電線管の外周面の凹部に係合することによって当該電線管を前記挿通孔に接続可能とすることを特徴とする配線用ボックス。
【請求項２】
前記突出部が除去されたときに前記挿通孔の周縁部にその一部が残存して、その残存する突出部の一部が、前記突出部が除去された状態において前記挿通孔と略同径の電線管の外周面の凹部に係合する係止突部を構成するようにしたことを特徴とする請求項１に記載の配線用ボックス。
【請求項３】
前記挿通孔を閉塞部と突出部とにより閉塞するとともに、同閉塞部を除去可能に構成したことを特徴とする請求項１又は請求項２に記載の配線用ボックス。
【請求項４】
前記周壁としての側壁のうち相互に対向する一対の側壁にそれぞれ２つの挿通孔を設けると共に、前記周壁としての底壁の内面に配線器具が取り付けられる一対の配線器具取付部をそれぞれ前記２つの挿通孔の中間となる位置で突設し、当該配線器具取付部に、前記挿通孔に挿通される電線管の外周面の凹部に係合する係止凸部を設けたことを特徴とする請求項１から請求項３のいずれか一項に記載の配線用ボックス。
【発明の詳細な説明】
【０００１】
【発明の属する技術分野】
本発明は、コンセントやスイッチ等の配線器具を収容し、壁裏の柱などに取り付けて使用される配線用ボックスに関するものである。
【０００２】
【従来の技術】
この種の配線用ボックスとして、配線器具に接続されるケーブル類を保護するための電線管を接続できるように周壁に挿通孔を設けたものが従来知られている。この配線用ボックスでは、挿通孔に電線管を挿入すると、電線管の外周面に挿通孔の周面又は端面が係合して電線管が挿通孔に支持されるようになっている。
【０００３】
【発明が解決しようとする課題】
ところが、電線管の外径と挿通孔の内径が略同一寸法でないと電線管の外周面と挿通孔の周面又は端面とを係合させることは不可能であるので、一つの挿通孔に接続できる電線管は、その挿通孔の内径と略同一の外径寸法を有するもの一種類に限られてしまう。このことは、使用時における種々の煩雑さの原因になっている。例えば外径寸法が異なるいくつかの種類の電線管が使用される場合に、それらの電線管に対応した挿通孔を有する配線用ボックスを何種類か用意する必要があることなどがそれである。また、コネクタを使って電線管を配線用ボックスに接続する場合には電線管の径に対応したコネクタを何種類か用意する必要もある。
【０００４】
本発明は、上記のような従来技術に存在する問題点に着目してなされたものである。その目的とするところは、一つの挿通孔に対し外径寸法が異なる二種類の電線管のうち一方を選択的に接続することができる配線用ボックスを提供することにある。
【０００５】
【課題を解決するための手段】
上記の目的を達成するために、請求項１に記載の発明は、周壁に設けた円形状の挿通孔に、断面円形状であるとともに波形状の外周面を有する電線管を挿通支持させることによって当該電線管が接続される配線用ボックスであって、前記挿通孔の周縁部の相対向する位置に、該挿通孔の内方に向けて突出する突出部及び係止突部が設けられ、前記突出部は、該突出部の先端と該突出部に対向する位置の挿通孔の周縁部との間隔が前記挿通孔より小径の電線管の外径と略同一となるように突設されるとともに、該挿通孔の周縁部から除去可能に該周縁部と一体に形成されてなり、前記突出部が除去されていない状態においては、前記突出部及び前記係止突部が前記挿通孔に挿通された該挿通孔より小径の電線管の中心軸線を挟む相対向する位置のみで電線管の外周面の凹部に係合することによって当該電線管を前記挿通孔に接続可能とする一方、前記突出部が除去された状態においては、前記係止突部が前記挿通孔に挿通された該挿通孔と略同径の電線管の外周面の凹部に係合することによって当該電線管を前記挿通孔に接続可能とすることを要旨とする。
【０００６】
請求項２に記載の発明は、請求項１に記載の配線用ボックスにおいて、前記突出部が除去されたときに前記挿通孔の周縁部にその一部が残存して、その残存する突出部の一部が、前記突出部が除去された状態において前記挿通孔と略同径の電線管の外周面の凹部に係合する係止突部を構成するようにしたことを要旨とする。
【０００７】
請求項３に記載の発明は、請求項１又は請求項２に記載の配線用ボックスにおいて、前記挿通孔を閉塞部と突出部とにより閉塞するとともに、同閉塞部を除去可能に構成したことを要旨とする。
【０００８】
請求項４に記載の発明は、請求項１から請求項３のいずれか一項に記載の配線用ボックスにおいて、前記周壁としての側壁のうち相互に対向する一対の側壁にそれぞれ２つの挿通孔を設けると共に、前記周壁としての底壁の内面に配線器具が取り付けられる一対の配線器具取付部をそれぞれ前記２つの挿通孔の中間となる位置で突設し、当該配線器具取付部に、前記挿通孔に挿通される電線管の外周面の凹部に係合する係止凸部を設けたことを要旨とする。
【００１０】
【発明の実施の形態】
以下、本発明を具体化した一実施形態について図面に基づき説明する。
図１〜図３は本実施形態における配線用ボックス１０を示す図で、図１は斜視図、図２は正面図、図３は図２の３−３線における断面図である。これらの図に示すように、配線用ボックス１０は、周壁として矩形板状の底壁１１と該底壁１１の周縁から延出して形成された側壁１２とを有しており、前記底壁１１に対向する面は、コンセント、スイッチ等の配線器具（図示せず）をボックス１０内に装入できるように開口が全面にわたり形成された開口面になっている。すなわち、配線用ボックス１０は有底無蓋の四角箱状の全体形状を有している。なお、以下の説明における上下、前後、左右は、特に断らない限り図１及び図２に矢印で示す配線用ボックス１０の上下軸、前後軸、左右軸に沿う方向をいう。
【００１１】
図１に示すように、前記側壁１２のうち底壁１１の長辺に形成されて相互に対向する一対の長側壁１２ａには、前後方向に延びる細長の孔１３がそれぞれ形成されている（なお図１においては、右側の長側壁１２ａに形成された孔１３のみを示す）。また、一対の長側壁１２ａのうち左側の長側壁１２ａの外面には、ボックス１０を柱などの被取着体に取り付けるにあたって被取着体に当接される取付座１４が突設されている。
【００１２】
一方、前記側壁１２のうち底壁１１の短辺に形成されて相互に対向する一対の短側壁１２ｂにはそれぞれ、図１及び図３に示すように左右２つの挿通孔１５ａ，１５ｂが穿設されている。各短側壁１２ｂに設けられた２つの挿通孔１５ａ，１５ｂのうち一方（１５ａ）は閉塞部としてのノック部１６と突出部としての係止片１７とによりほぼ全体を閉塞されているが、他方（１５ｂ）は開放されている。
【００１３】
まず、ノック部１６で閉塞された挿通孔１５ａについて説明すると、前記ノック部１６は挿通孔１５ａの周面から内方に向けて突設され、短側壁１２ｂと一体に設けられている。このノック部１６は、同ノック部１６に対し所定強さ以上の衝撃を挿通孔１５ａの中心軸線に沿って加えることによって、折り取って除去できるように構成されている。そして、ノック部１６を除去することで挿通孔１５ａが開放されるようになっている。
【００１４】
また係止片１７も挿通孔１５ａの周面から内方に向けて突設され、短側壁１２ｂと一体に設けられている。この係止片１７は、後述するボス部２１側から突設されている。また、係止片１７は、前記ノック部１６と同様に折り取って除去できるように構成され、前記ノック部１６とは独立して折り取ることができるようになっている。係止片１７を折り取ったときには、係止片１７のうち挿通孔１５ａの周面に接合している箇所が突起状に残存して、挿通孔１５ａの周面に係止突部１７ａ（図５（ａ）参照）が形成されるようになっている。さらに、前記係止片１７に対し挿通孔１５ａの中心軸線を挟んで対向する位置の挿通孔１５ａ周面には係止突部１８が設けられている。なお前記係止片１７と、同係止片１７に対し挿通孔１５ａの中心軸線を挟んで対向する位置の挿通孔１５ａ周面との間の距離Ｄ１は、挿通孔１５ａの内径Ｄ２よりも小さくなっている。
【００１５】
続いて、前記挿通孔１５ａの隣の挿通孔１５ｂについて説明すると、この挿通孔１５ｂの周面の相対向する位置には、前記挿通孔１５ａの周面に設けられた係止突部１８と同様の突起１９，２０が設けられている。
【００１６】
一方、図１及び図２に示すように、底壁１１の内面には、配線器具取付部として一対のボス部２１が突設されている。このボス部２１にはねじ孔２１ａが形成されており、コンセント、スイッチ等の配線器具をねじ止めして取り付けることができるようになっている。各ボス部２１は、短側壁１２ｂに近接し、なおかつ挿通孔１５ａと挿通孔１５ｂの中間となる位置に設けられている。またボス部２１の左右両側面には、係止凸部として前後方向に延びる突条２２が設けられている。
【００１７】
次に、上記のように構成された配線用ボックス１０の作用を説明する。
ノック部１６で閉塞された挿通孔１５ａには、前記距離Ｄ１と略同一の外径寸法を有する電線管３０ａ（図４（ｂ）参照）と挿通孔１５ａの内径Ｄ２と略同一の外径寸法を有する電線管３０ｂ（図５（ｂ）参照）のうち一方が選択的に接続される。
【００１８】
前記距離Ｄ１と略同一の外径寸法を有する電線管３０ａを挿通孔１５ａに接続する場合には、まず図４（ａ）に示すようにノック部１６を折り取って除去した後、このノック部１６が除去された挿通孔１５ａに対し、図４（ｂ）に示すように電線管３０ａを挿入する。こうすれば電線管３０ａの外周面、より詳しくは波形状の外周面を有する電線管３０ａの外周面の凹部３１に係止片１７及び係止突部１８が係合して、電線管３０ａが挿通孔１５ａに支持される。
【００１９】
また、挿通孔１５ａの内径Ｄ２と略同一の外径寸法を有する電線管３０ｂを挿通孔１５ａに接続する場合には、まず図５（ａ）に示すようにノック部１６及び係止片１７を折り取って除去した後、このノック部１６及び係止片１７が除去された挿通孔１５ａに対し、図５（ｂ）に示すように電線管３０ｂを挿入する。こうすれば電線管３０ｂの外周面、より詳しくは波形状の外周面を有する電線管３０ｂの外周面の凹部３１に係止突部１８に加えてボス部２１の突条２２及び係止突部１７ａが係合して、電線管３０ｂが挿通孔１５ａに支持される。
【００２０】
ちなみに挿通孔１５ａの隣の挿通孔１５ｂには、図６に示すように、同挿通孔１５ｂの内径と略同一の外径寸法を有する電線管３０ｃが接続される。この挿通孔１５ｂに電線管３０ｃを挿入すると、電線管３０ｃの外周面、より詳しくは波形状の外周面を有する電線管３０ｃの外周面の凹部３１に突起１９，２０が係合して、電線管３０ｃが挿通孔１５ｂに支持される。
【００２１】
本実施形態によって得られる効果について、以下に記載する。
・  本実施形態によれば、一つの挿通孔１５ａに対し外径寸法が異なる二種類の電線管３０ａ，３０ｂのうち一方を選択的に接続することができる。よって、外径寸法が異なる二種類の電線管３０ａ，３０ｂが使用される場合であっても配線用ボックスを二種類用意したりする必要がなく、使用時における煩雑さを解消することができる。
【００２２】
・  挿通孔１５ａはノック部１６と係止片１７とで閉塞されているので、挿通孔１５ａに電線管３０を接続しないまま使用する場合（例えばもう一方の挿通孔１５ｂのみに電線管３０を接続して使用する場合など）に、挿通孔１５ａからボックス１０内に異物が侵入するのを抑制することができる。
【００２３】
・  係止片１７を折り取ったときに挿通孔１５ａの周面に形成される係止突部１７ａは、挿通孔１５ａに挿通される電線管３０ｂの外周面の凹部３１に係合するようになっている。従って、この凹部３１と係止突部１７ａの係合関係によって、挿通孔１５ａに接続される電線管３０ｂの挿通孔１５ａからの抜け落ちを効果的に抑えることができる。
【００２４】
・  係止突部１７ａは係止片１７の一部であり、係止片１７の一部が係止突部１７ａを兼ねた構成となっているので、配線用ボックス１０の構成を簡略化することができる。
【００２５】
・  挿通孔１５ａの周面に設けられた係止片１７は、挿通孔１５ａに挿通される電線管３０ａの外周面の凹部３１に係合するようになっている。従って、この凹部３１と係止片１７の係合関係によって、挿通孔１５ａに接続される電線管３０ａの挿通孔１５ａからの抜け落ちを効果的に抑えることができる。
【００２６】
・  係止片１７はボス部２１側から突設されているので、挿通孔１５ａに挿通される電線管３０ａがボス部２１に干渉するのを防ぐことができる。また、逆に係止片１７を長側壁１２ａ側から設けた場合には、挿通孔１５ａに挿通される電線管３０ａが長側壁１２ａの内面に支持されなくなるために安定が悪くなるおそれがあるが、本例の場合はそうしたおそれがない。
【００２７】
・  挿通孔１５ａの周面に設けられた係止突部１８は、挿通孔１５ａに挿通される電線管３０ａ，３０ｂの外周面の凹部３１に係合するようになっている。従って、この凹部３１と係止突部１８の係合関係によって、挿通孔１５ａに接続される電線管３０ａ，３０ｂの挿通孔１５ａからの抜け落ちを効果的に抑えることができる。
【００２８】
・  係止片１７に対向するように係止突部１８が設けられているので、係止片１７と係止突部１８は、挿通孔１５ａに挿通される電線管３０ａに対し電線管３０ａの中心軸線を挟んで相対向する位置で係合するようになっている。よって、係止片１７と係止突部１８が挿通孔１５ａに挿通される電線管３０ａに対し相対向する位置で係合することによって、電線管３０ａの挿通孔１５ａからの抜け落ちを効果的に抑えることができる。
【００２９】
・  ボス部２１に設けられた突条２２は、挿通孔１５ａに挿通される電線管３０ｂの外周面の凹部３１に係合するようになっている。従って、この凹部３１と突条２２の係合関係によって、挿通孔１５ａに接続される電線管３０ｂの挿通孔１５ａからの抜け落ちを効果的に抑えることができる。
【００３０】
なお、前記実施形態を次のように変更して構成することもできる。
・  前記実施形態では係止片１７を挿通孔１５ａの周面から突設させるようにしたが、挿通孔１５ａの周縁部からであれば特に周面からに限定されるものでなく、挿通孔１５ａの端面から突設させるようにしてもよい。また、同じく係止突部１８も、挿通孔１５ａの周縁部からであれば特に周面からに限定されるものでなく、挿通孔１５ａの端面から突設させるようにしてもよい。なお、挿通孔１５ａの端面とは、挿通孔１５ａが穿設された側壁１２の内面又は外面にあって挿通孔１５ａの周縁の部位をいう。
【００３１】
・  前記実施形態では、係止突部１８を、係止片１７に対し挿通孔１５ａの中心軸線を挟んで対向するように設けたが、係止突部１８と係止片１７は必ずしも対向しなくてもよい。
【００３２】
・  挿通孔１５ａの周面に係止突部１８を複数設けてもよい。
・  係止片１７を折り取ったときに挿通孔１５ａの周面に形成される係止突部１７ａ、及びボス部２１に設けた突条２２のうち少なくともいずれか一方を省略してもよい。
【００３３】
・  挿通孔１５ａを閉塞するノック部１６を省略してもよい。
・  係止片１７を備えた挿通孔１５ａを設ける箇所は側壁１２に限られるものでなく、底壁１１に設けてもよい。
【００３４】
・  挿通孔１５ａに接続される電線管３０は波形状の外周面を有するものに限らず、平滑な外周面を有するものでもよい。
【００３５】
【発明の効果】
本発明は、以上のように構成されているため、次のような効果を奏する。
請求項１に記載の発明によれば、一つの挿通孔に対し外径寸法が異なる二種類の電線管のうち一方を選択的に接続することができる。また、突出部及び係止突部が電線管の外周面の凹部に係合するので電線管の挿通孔からの抜け落ちを効果的に抑えることができる。
【００３６】
請求項２に記載の発明によれば、請求項１に記載の発明の効果に加え、突出部の一部が係止突部を兼ねることができるので、構成を簡略化することができる。請求項３に記載の発明によれば、請求項１又は請求項２に記載の発明の効果に加え、電線管を接続して使用しない場合に挿通孔から異物が侵入するのを抑制することができる。
【００３７】
請求項４に記載の発明によれば、請求項１から請求項３のいずれか一項に記載の発明の効果に加え、挿通孔に接続される電線管の外周面の凹部に係止凸部が係合することにより、挿通孔からの電線管の抜け落ちを効果的に抑えることができる。
【図面の簡単な説明】
【図１】  実施形態の配線用ボックスを示す斜視図。
【図２】  同じ実施形態の配線用ボックスを示す正面図。
【図３】  図２の３−３線における断面図（平断面図）。
【図４】  （ａ）はノック部が折り取られたときの挿通孔を示す平断面図、（ｂ）は（ａ）の挿通孔の近傍を拡大して示す正断面図。
【図５】  （ａ）はノック部及び係止片が折り取られたときの挿通孔を示す平断面図、（ｂ）は（ａ）の挿通孔の近傍を拡大して示す正断面図。
【図６】  ノック部及び係止片が形成されていない方の挿通孔の近傍を拡大して示す正断面図。
【符号の説明】
１０…配線用ボックス、１１…周壁としての底壁、１２…周壁としての側壁、１５ａ…挿通孔、１６…閉塞部としてのノック部、１７…突出部としての係止片、１７ａ…係止突部、１８…係止突部、２１…配線器具取付部としてのボス部、２２…係止凸部としての突条、３０（３０ａ〜３０ｃ）…電線管。
【図１】
0003851540.tif 000002
【図２】
0003851540.tif 000003
【図３】
0003851540.tif 000004
【図４】
0003851540.tif 000005
【図５】
0003851540.tif 000006
【図６】
0003851540.tif 000007